(57)【要約】【課題】オイルフィルタの交換作業時にハウジング内の残留オイルがオイル流入口及びオイル流出口から垂れ落ちてしまうことを防止できるオイルフィルを提供する。【解決手段】本オイルフィルタ１は、ハウジング２と、ろ材３と、支持筒４と、逆止弁９と、開閉弁５と、を備える。そして、記開閉弁は、弁体３１と、付勢体（コイルバネ３２）と、を備え、オイル流出口８のメスネジ１３とユニオンボルト１２との螺合により、弁体は、付勢体の付勢力に抗してユニオンボルトの先端側に押圧されて、ユニオンボルトの先端側との間でユニオンボルトの内側空間Ｓｃと下流空間Ｓｂとを連通する連通路３９を形成し、オイル流出口のメスネジとユニオンボルトとの螺合の解除により、弁体は、付勢体の付勢力によりハウジングの底面部２ａにおいてオイル流出口８の外周側表面に当接してオイル流出口を閉鎖する。【選択図】図１
2018084180.tif 000002
【特許請求の範囲】
【請求項１】
筒状のハウジングと、前記ハウジング内に軸心を一致して収容される筒状のろ材と、前記ハウジングの底面部から立ち上げられて前記ろ材の内周側を支持する支持筒と、を備え、前記ハウジングの底面部には、前記ろ材の外側の上流空間に連なるオイル流入口及び前記ろ材の内側の下流空間に連なるオイル流出口が形成されており、前記オイル流出口の内周側に形成されたメスネジとエンジンに設けられた管状のユニオンボルトとの螺合により、前記エンジンに前記ハウジングが取り付けられるオイルフィルタであって、
前記上流空間から前記オイル流入口に向かうオイルの流通を規制する逆止弁と、
前記オイル流出口を開閉する開閉弁と、を備え、
前記開閉弁は、前記支持筒の立ち上げ側の内側で前記支持筒の軸方向に沿って移動可能な弁体と、前記弁体を前記オイル流出口に向かって付勢する付勢体と、を備え、
前記オイル流出口のメスネジと前記ユニオンボルトとの螺合により、前記弁体は、前記付勢体の付勢力に抗して前記ユニオンボルトの先端側に押圧されて、前記ユニオンボルトの先端側との間で前記ユニオンボルトの内側空間と前記下流空間とを連通する連通路を形成し、
前記オイル流出口のメスネジと前記ユニオンボルトとの螺合の解除により、前記弁体は、前記付勢体の付勢力により前記ハウジングの底面部において前記オイル流出口の外周側表面に当接して前記オイル流出口を閉鎖することを特徴とするオイルフィルタ。
【請求項２】
前記連通路は、前記ユニオンボルトの先端側に設けられた切欠き部により形成される請求項１記載のオイルフィルタ。
【請求項３】
前記弁体は、その外周側と前記支持筒の内周側との間にオイル流通路を形成する請求項１又は２に記載のオイルフィルタ。
【請求項４】
前記開閉弁は、前記支持筒の内側において前記弁体よりも前記オイル流出口から遠い側に設けられる受け体を備え、
前記付勢体は、前記弁体と前記受け体との間に介装されている請求項１乃至３のいずれか一項に記載のオイルフィルタ。
【請求項５】
前記受け体は、オイル流通穴を有するプレート状に形成されているとともに、その外周側が前記支持筒の内周側に接合されている請求項４記載のオイルフィルタ。
【請求項６】
前記開閉弁は、前記付勢体の付勢力による前記弁体の移動を規制する移動規制部を備える請求項１乃至５のいずれか一項に記載のオイルフィルタ。
【発明の詳細な説明】
【技術分野】
【０００１】
本発明は、オイルフィルタに関し、さらに詳しくは、エンジンオイルをろ過してエンジンの潤滑経路に流入させるオイルフィルタに関する。
【背景技術】
【０００２】
従来のオイルフィルタとして、エンジンオイルをろ過してエンジンの潤滑経路に流入させるものが一般に知られている（例えば、特許文献１参照）。この特許文献１には、例えば、図７に示されるように、筒状のハウジング１０２と、ハウジング１０２内に軸心を一致して収容される筒状のろ材１０３と、ハウジングの底面部１０２ａから立ち上げられてろ材１０３の内周側を支持する支持筒１０４と、を備えるオイルフィルタ１０１が記載されている。このオイルフィルタ１０１では、ハウジングの底面部１０２ａには、ろ材１０３の外側の上流空間Ｓａに連なるオイル流入口１０７及びろ材１０３の内側の下流空間Ｓｂに連なるオイル流出口１０８が形成されており、オイル流出口１０８の内周側に形成されたメスネジ１１３とエンジン１１１に設けられた管状のユニオンボルト１１２との螺合により、エンジン１１１にハウジング１０２が取り付けられる。さらに、ハウジング１０２の底面部１０２ａには、上流空間Ｓａからオイル流入口１０７に向かうオイルの流通を規制する逆止弁１０９が備えられている。
【先行技術文献】
【特許文献】
【０００３】
【特許文献１】特開２００３−１１７３１６号公報
【発明の概要】
【発明が解決しようとする課題】
【０００４】
しかし、上記従来のオイルフィルタ１０１では、オイル流入口１０７でのオイルの逆流を防止する逆止弁１０９が備えられているが、オイル流入口１０８を開閉する開閉弁が何ら備えられていない。そのため、オイルフィルタ１０１の交換作業時に、エンジン１１１からハウジング１０２を取り外したときに、逆止弁１０９によりハウジング１０２内の上流空間Ｓａに溜められた残留オイルが、ろ材１０３を通過して下流空間Ｓｂ内に至りオイル流出口１０８から垂れ落ちてしまう。その結果、周辺部品や床面等の清掃が必要となり作業性が低下してしまう。特に、エンジン１１１に対してオイルフィルタ１０１が上向き搭載されている場合には、オイルフィルタ１０１の交換作業時の残留オイルが垂れ落ちてしまい易い。
【０００５】
本発明は、上記現状に鑑みてなされたものであり、オイルフィルタの交換作業時にハウジング内の残留オイルがオイル流入口及びオイル流出口から垂れ落ちてしまうことを防止できるオイルフィルを提供することを目的とする。
【課題を解決するための手段】
【０００６】
上記問題を解決するために、請求項１に記載の発明は、筒状のハウジングと、前記ハウジング内に軸心を一致して収容される筒状のろ材と、前記ハウジングの底面部から立ち上げられて前記ろ材の内周側を支持する支持筒と、を備え、前記ハウジングの底面部には、前記ろ材の外側の上流空間に連なるオイル流入口及び前記ろ材の内側の下流空間に連なるオイル流出口が形成されており、前記オイル流出口の内周側に形成されたメスネジとエンジンに設けられた管状のユニオンボルトとの螺合により、前記エンジンに前記ハウジングが取り付けられるオイルフィルタであって、前記上流空間から前記オイル流入口に向かうオイルの流通を規制する逆止弁と、前記オイル流出口を開閉する開閉弁と、を備え、前記開閉弁は、前記支持筒の立ち上げ側の内側で前記支持筒の軸方向に沿って移動可能な弁体と、前記弁体を前記オイル流出口に向かって付勢する付勢体と、を備え、前記オイル流出口のメスネジと前記ユニオンボルトとの螺合により、前記弁体は、前記付勢体の付勢力に抗して前記ユニオンボルトの先端側に押圧されて、前記ユニオンボルトの先端側との間で前記ユニオンボルトの内側空間と前記下流空間とを連通する連通路を形成し、前記オイル流出口のメスネジと前記ユニオンボルトとの螺合の解除により、前記弁体は、前記付勢体の付勢力により前記ハウジングの底面部において前記オイル流出口の外周側表面に当接して前記オイル流出口を閉鎖することを要旨とする。
請求項２に記載の発明は、請求項１記載の発明において、前記連通路は、前記ユニオンボルトの先端側に設けられた切欠き部により形成されることを要旨とする。
請求項３に記載の発明は、請求項１又は２に記載の発明において、前記弁体は、その外周側と前記支持筒の内周側との間にオイル流通路を形成することを要旨とする。
請求項４に記載の発明は、請求項１乃至３のいずれか一項に記載の発明において、前記開閉弁は、前記支持筒の内側において前記弁体よりも前記オイル流出口から遠い側に設けられる受け体を備え、前記付勢体は、前記弁体と前記受け体との間に介装されていることを要旨とする。
請求項５に記載の発明は、請求項４記載の発明において、前記受け体は、オイル流通穴を有するプレート状に形成されているとともに、その外周側が前記支持筒の内周側に接合されていることを要旨とする。
請求項６に記載の発明は、請求項１乃至５のいずれか一項に記載の発明において、前記開閉弁は、前記付勢体の付勢力による前記弁体の移動を規制する移動規制部を備えることを要旨とする。
【発明の効果】
【０００７】
本発明のオイルフィルタによると、上流空間からオイル流入口に向かうオイルの流通を規制する逆止弁と、オイル流出口を開閉する開閉弁と、を備える。そして、開閉弁は、支持筒の立ち上げ側の内側で支持筒の軸方向に沿って移動可能な弁体と、弁体をオイル流出口に向かって付勢する付勢体と、を備える。さらに、オイル流出口のメスネジとユニオンボルトとの螺合により、弁体は、付勢体の付勢力に抗してユニオンボルトの先端側に押圧されて、ユニオンボルトの先端側との間でユニオンボルトの内側空間と下流空間とを連通する連通路を形成し、オイル流出口のメスネジとユニオンボルトとの螺合の解除により、弁体は、付勢体の付勢力によりハウジングの底面部においてオイル流出口の外周側表面に当接してオイル流出口を閉鎖する。これにより、オイルフィルタの交換作業時において、エンジンからハウジングを取り外すときに、逆止弁によりオイル流入口が閉鎖され且つ開閉弁によりオイル流出口が閉鎖される。よって、ハウジング内の残留オイルは、逆止弁及び開閉弁によりハウジング内に保持され、オイル流入口及びオイル流入口から垂れ落ちてしまうことが防止される。その結果、周辺部品や床面等の清掃を必ずしも実施する必要がなく、作業性を向上させることができる。
また、前記連通路が、前記ユニオンボルトの先端側に設けられた切欠き部により形成される場合は、適正なオイル流量となる連通路を容易に設定できる。
また、前記弁体が、その外周側と前記支持筒の内周側との間にオイル流通路を形成する場合は、適正なオイル流量となるオイル流通路を容易に設定できる。
また、前記開閉弁が、前記支持筒の内側において前記弁体よりも前記オイル流出口から遠い側に設けられる受け体を備え、前記付勢体が、前記弁体と前記受け体との間に介装されている場合は、開閉弁を簡易且つ安価な構造にできる。
また、前記受け体が、オイル流通穴を有するプレート状に形成されているとともに、その外周側が前記支持筒の内周面に接合されている場合は、適正なオイル流量となるオイル流通穴を容易に設定できるとともに、支持筒に対して受け体を強固に接合できる。
さらに、前記開閉弁が、前記付勢体の付勢力による前記弁体の移動を規制する移動規制部を備える場合は、移動規制部により支持筒内からの弁体の飛び出しが規制される。よって、開閉弁を内蔵した支持筒として容易に取り扱うことができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るオイルフィルタの縦断面図である。
【図２】図１の要部拡大図であり、（ａ）はエンジンにハウジングを取り付けた状態を示し、（ｂ）はエンジンからハウジングを取り外した状態を示す。
【図３】実施例に係る開閉弁を説明するための分解斜視図である。
【図４】上記開閉弁を内蔵した支持筒の縦断面図である。
【図５】他の形態のオイルフィルタを説明するための説明図である。
【図６】更なる他の形態のオイルフィルタを説明するための説明図であり、（ａ）はエンジンにハウジングを取り付けた状態を示し、（ｂ）はエンジンからハウジングを取り外した状態を示す。
【図７】従来のオイルフィルタの縦断面図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜オイルフィルタ＞
本実施形態に係るオイルフィルタは、筒状のハウジング（２）と、ハウジング内に軸心を一致して収容される筒状のろ材（３）と、ハウジングの底面部（２ａ）から立ち上げられてろ材（３）の内周側を支持する支持筒（４）と、を備え、ハウジングの底面部（２ａ）には、ろ材の外側の上流空間（Ｓａ）に連なるオイル流入口（７）及びろ材の内側の下流空間（Ｓｂ）に連なるオイル流出口（８）が形成されており、オイル流出口（８）の内周側に形成されたメスネジ（１３）とエンジン（１１）に設けられた管状のユニオンボルト（１２）との螺合により、エンジン（１１）にハウジング（２）が取り付けられるオイルフィルタ（１）である（例えば、図１等参照）。そして、上流空間（Ｓａ）からオイル流入口（７）に向かうオイルの流通を規制する逆止弁（９）と、オイル流出口（８）を開閉する開閉弁（５）と、を備える。
【００１１】
上記開閉弁（５）は、支持筒（４）の立ち上げ側の内側で支持筒の軸方向に沿って移動可能な弁体（３１）と、弁体（３１）をオイル流出口（８）に向かって付勢する付勢体（３２）と、を備える（例えば、図２等参照）。そして、オイル流出口（８）のメスネジ（１３）とユニオンボルト（１２）との螺合により、弁体（３１）は、付勢体（３２）の付勢力に抗してユニオンボルト（１２）の先端側に押圧されて、ユニオンボルトの先端側との間でユニオンボルトの内側空間（Ｓｃ）と下流空間（Ｓｂ）とを連通する連通路（３９）を形成し、オイル流出口（８）のメスネジ（１３）とユニオンボルト（１２）との螺合の解除により、弁体（３１）は、付勢体（３２）の付勢力によりハウジングの底面部（２ａ）においてオイル流出口（８）の外周側表面に当接してオイル流出口（８）を閉鎖する。
【００１２】
本実施形態に係るオイルフィルタとしては、例えば、上記連通路（３９）は、ユニオンボルト（１２）の先端側に設けられた切欠き部（１４）により形成される形態（例えば、図３等参照）を挙げることができる。
【００１３】
本実施形態に係るオイルフィルタとしては、例えば、上記弁体（３１）は、その外周側と支持筒（４）の内周側との間にオイル流通路（３５）を形成する形態（例えば、図２等参照）を挙げることができる。
【００１４】
本実施形態に係るオイルフィルタとしては、例えば、上記開閉弁（５）は、支持筒（４）の内側において弁体（３１）よりもオイル流出口（８）から軸方向に遠い側に設けられる受け体（３３）を備え、付勢体（３２）は、弁体（３１）と受け体（３３）との間に介装されている形態（例えば、図２等参照）を挙げることができる。
【００１５】
上述の形態の場合、例えば、上記受け体（３３）は、オイル流通穴（３６）を有するプレート状に形成されているとともに、その外周側が支持筒（４）の内周側に接合されていることができる（例えば、図２等参照）。
【００１６】
本実施形態に係るオイルフィルタとしては、例えば、上記開閉弁（５）は、付勢体（３２）の付勢力による弁体（３１）の移動を規制する移動規制部（３４）を備える形態（例えば、図４等参照）を挙げることができる。
【００１７】
なお、上記オイルフィルタを構成するハウジング、ろ材、支持筒の材質、形状、構成等は特に問わない。また、上記開閉弁を構成する弁体、付勢体、受け体、移動規制部の材質、形状、構成等は特に問わない。さらに、上記実施形態で記載した各構成の括弧内の符号は、後述する実施例に記載の具体的構成との対応関係を示すものである。
【実施例】
【００１８】
以下、図面を用いて実施例により本発明を具体的に説明する。なお、本実施例では、本発明に係る「オイルフィルタ」として、ろ材の交換時にハウジングを含め全体が交換されるスピンオン型のオイルフィルタを例示する。さらに、エンジンに対して上向き搭載されるオイルフィルタを例示する。
【００１９】
（１）オイルフィルタの構成
本実施例に係るオイルフィルタ１は、図１に示すように、円筒状のハウジング２と、ハウジング２内に軸心を一致して収容される筒状のろ材３と、ハウジング２の底面部２ａから立ち上げられてろ材３の内周側を支持する円筒状の支持筒（「プロテクタ」とも称される。）４と、を備えている。このオイルフィルタ１は、後述する逆止弁９及び開閉弁５を備えている。
【００２０】
上記ハウジング２の底面部２ａには、ろ材３の外側の上流空間Ｓａに連なるオイル流入口７及びろ材３の内側の下流空間Ｓｂに連なるオイル流出口８が形成されている。このオイル流出口８の内周側（具体的に、後述の突起部１８の内周側）には、エンジン１１に設けられた管状のユニオンボルト１２と螺合するメスネジ１３が形成されている。そして、オイル流出口８のメスネジ１３とユニオンボルト１２との螺合により、エンジン１１にハウジング２が取り付けられる。具体的に、ユニオンボルト１２の外周側には、エンジン１１用のオスネジ５ａと、オイルフィルタ１用のオスネジ５ｂと、が軸方向に並んで形成されている（図３参照）。このオスネジ５ａは、エンジン１１と螺合され、オスネジ５ｂは、エンジン１１の表面から突出しており、オイル流出口８のメスネジ１３と螺合される。すなわち、ユニオンボルト１２は、エンジン１１とオイルフィルタ１とを連結するボルトである。
【００２１】
上記ユニオンボルト１２の軸方向に延びる内側空間Ｓｃは、エンジン１１の潤滑経路を構成している。さらに、ユニオンボルト１２の先端側には、円周方向に沿って所定間隔で複数の切欠き部１４が設けられている（図３参照）。これら各切欠き部１４は、ユニオンボルト１２の先端から軸方向に凹んで形成されている。さらに、各切欠き部１４は、後述の連通路３９を形成する。
【００２２】
上記ハウジング２は、有底筒状で金属製のケース１６と、ケース１６の軸端開口を塞ぐ金属製のボトムプレート１７と、を備えている。このボトムプレート１７には、その中心側に上方に突出する筒状の突起部１８が設けられている。この突起部１８には、その内周側にオイル流出口８が形成されており、その外周側に逆止弁９が装着されている。また、ボトムプレート１７のオイル流出口８の外周側には、円周方向に沿って所定間隔で複数のオイル流入口７が形成されている（図３参照）。また、ボトムプレート１７の底面には、環状で金属製の支持プレート１９が溶着等で接合されている。この支持プレート１９の外周端側は、ケース１６の開口端側にカシメ等により接合されている。また、支持プレート１９には、エンジン１１の搭載面との間をシールするガスケット２０が装着されている。
【００２３】
上記ろ材３は、ろ紙等からなり、ひだ折り筒状（「菊花状」とも称される。）に形成されている。このろ材３の軸端面のそれぞれには、環状のシール材２２ａ、２２ｂが設けられている。一方のシール材２２ａは、ハウジング２の天井部２ｂの内側に配置される蓋体２３に圧接している。また、他方のシール材２２ｂは、逆止弁９に圧接している。これら各シール材２２ａ、２２ｂの圧接により、ハウジング２の内側空間は、ろ材３の外側の上流空間Ｓａとろ材３の内側の下流空間Ｓｂとに仕切られている。
【００２４】
上記支持筒４は、金属製である。この支持筒４は、ろ材３を支持する部分に多数の貫通穴４ａが形成されている。また、支持筒４の立ち上げ側の軸端側は、逆止弁９に装着されている。さらに、支持筒４の一方の軸端側（上端側）には、上流空間Ｓａと下流空間Ｓｂとの圧力差が所定値以上となったときに、上流空間Ｓａのオイルをろ材３を通過せずに下流空間Ｓｂにバイパスさせるリリーフ弁２５が備えられている。
【００２５】
上記逆止弁９は、ハウジング２の底面部２ａに備えられている。この逆止弁９は、ゴム等の弾性材からなり、環状に形成されている。また、逆止弁９は、オイル流入口７から上流空間Ｓａに向かうオイルの流通を許容する一方、上流空間Ｓａからオイル流入口７に向かうオイルの流通（即ち、逆流）を規制する。
【００２６】
上記開閉弁５は、図２及び図３に示すように、支持筒４の立ち上げ側の内側に備えられている。この開閉弁５は、オイル流出口８を開閉するものである。また、開閉弁５は、支持筒４の立ち上げ側の内側で支持筒４の軸方向に沿って移動可能な弁体３１と、支持筒４の内側において弁体３１よりもオイル流出口８から軸方向に遠い側に設けられる受け体３３と、弁体３１と受け体３３との間に介装されて弁体３１をオイル流出口８に向かって付勢するコイルバネ（本発明に係る「付勢体」として例示する。）３２と、を備えている。この開閉弁５は、コイルバネ３２の付勢力による弁体３１の移動を規制する移動規制部３４を備えている。
【００２７】
上記弁体３１は、樹脂製である。この弁体３１は、円盤状のバルブ３１ａと、バルブ３１ａの中心側から軸方向に延びる軸部３１ｂと、軸部３１ｂの一端側に設けられる頭部３１ｃと、を備えている。このバルブ３１ａは、突起部１８の先端面に当接してオイル流出口８を閉鎖可能な大きさに形成されている。また、バルブ３１ａは、支持筒４の内径より小さな外径を有しており、その外周側と支持筒４の内周側との間にはオイル流通路３５が形成される。
【００２８】
上記受け体３３は、オイル流通穴３６を有するプレート状に形成されている。具体的に、受け体３３は、円板部３３ａと、円板部３３ａの外周側から立ち上がる筒部３３ｂと、を備えている。この円板部３３ａには、その中央側に凹部３７が形成されているとともに、凹部３７を横切るようにオイル流通穴３６が形成されている。このオイル流通穴３６は、頭部３１ｃ及び軸部３１ｂが挿通可能な大きさに形成されている。そして、頭部３１ｃをオイル流通穴３６に挿通してから弁体３１を軸方向に回転させることで、頭部３１ｃが凹部３７に入り込み可能とされている（図２（ｂ）参照）。さらに、受け体３３は、その外周側（具体的に、筒部３３ｂ）が支持筒４の内周側に溶着等により接合されている。
【００２９】
上記開閉弁５では、図２（ａ）に示すように、オイル流出口８のメスネジ１３とユニオンボルト１２との螺合により、弁体３１は、コイルバネ３２の付勢力に抗してユニオンボルト１２の先端側に押圧されて、ユニオンボルト１２の先端側との間でユニオンボルト１２の内側空間Ｓｃと下流空間Ｓｂとを連通する連通路３９を形成する（即ち、オイル流出口８を開放する）。一方、図２（ｂ）に示すように、オイル流出口８のメスネジ１３とユニオンボルト１２との螺合の解除により、弁体３１は、コイルバネ３２の付勢力によりハウジング２の底面部２ａにおいてオイル流出口８の外周側表面（具体的に、突起部１８の先端面）に当接してオイル流出口８を閉鎖する。
【００３０】
なお、本実施例では、オイル流出口８のメスネジ１３とユニオンボルト１２との螺合を解除する途中で弁体３１がオイル流出口８を閉鎖するものとするが、これに限定されず、例えば、オイル流出口８のメスネジ１３とユニオンボルト１２との螺合が完全に解除された瞬間に弁体３１がオイル流出口８を閉鎖するようにしてもよい。
【００３１】
上記移動規制部３４は、図４に示すように、ハウジング２の底面部２ａから支持筒４を取り外した状態で、コイルバネ３２の付勢力による弁体３１の移動を規制している。具体的に、ハウジング２の底面部２ａから支持筒４を取り外すと、コイルバネ３２の付勢力により、弁体３１は、突起部１８の先端から離れて支持筒４の一端開口に向かって移動するが、弁体３１の頭部３１ｃが受け体３３の凹部３７上に係止することで弁体３１の移動が規制される。すなわち、本実施例では、移動規制部３４は、受け体３３により構成されている。
【００３２】
（２）オイルフィルタの作用
次に、上記構成のオイルフィルタ１の作用について説明する。エンジン稼働時には、図１に示すように、エンジンオイル（図中破線矢印で示す。）は、逆止弁９を押し上げてオイル流入口７を通ってハウジング２内の上流空間Ｓａに流入し、ろ材３を通過して塵埃などの異物がろ過されてから、支持筒４の貫通穴４ａを通って下流空間Ｓｂに至る。そして、下流空間Ｓｂに至ったエンジンオイルは、図２（ａ）に示すように、オイル流通穴３６、オイル流通路３５及び連通路３９を通ってユニオンボルト１２の内側空間Ｓｃに流入されてエンジン１１の潤滑対象部に送られる。
【００３３】
一方、オイルフィルタ１の交換作業時には、図２（ｂ）に示すように、ユニオンボルト１２に対するオイル流出口８のメスネジ１３の螺合を緩めると、コイルバネ３２の付勢力により弁体３１が突起部１８の先端面に当接してオイル流出口８を閉鎖する。そのため、ハウジング２内の残留オイルは、逆止弁９及び開閉弁５によりハウジング２内に保持されることとなる。
【００３４】
（３）実施例の効果
本実施例のオイルフィルタ１によると、上流空間Ｓａからオイル流入口７に向かうオイルの流通を規制する逆止弁９と、オイル流出口８を開閉する開閉弁５と、を備える。そして、開閉弁５は、支持筒４の立ち上げ側の内側で支持筒４の軸方向に沿って移動可能な弁体３１と、弁体３１をオイル流出口８に向かって付勢するコイルバネ３２と、を備える。さらに、オイル流出口８のメスネジ１３とユニオンボルト１２との螺合により、弁体３１は、コイルバネ３２の付勢力に抗してユニオンボルト１２の先端側に押圧されて、ユニオンボルト１２の先端側との間でユニオンボルト１２の内側空間Ｓｃと下流空間Ｓｂとを連通する連通路３９を形成し、オイル流出口８のメスネジ１３とユニオンボルト１２との螺合の解除により、弁体３１は、コイルバネ３２の付勢力によりハウジング２の底面部２ａにおいてオイル流出口８の外周側表面に当接してオイル流出口８を閉鎖する。これにより、オイルフィルタ１の交換作業時において、エンジン１１からハウジング２を取り外すときに、逆止弁９によりオイル流入口７が閉鎖され且つ開閉弁５によりオイル流出口８が閉鎖される。よって、ハウジング２内の残留オイルは、逆止弁９及び開閉弁５によりハウジング２内に保持され、オイル流入口７及びオイル流入口８から垂れ落ちてしまうことが防止される。その結果、周辺部品や床面等の清掃を必ずしも実施する必要がなく、作業性を向上させることができる。
【００３５】
また、本実施例では、連通路３９は、ユニオンボルト１２の先端側に設けられた切欠き部１４により形成される。これにより、適正なオイル流量となる連通路３９を容易に設定できる。
【００３６】
また、本実施例では、弁体３１は、その外周側と支持筒４の内周側との間にオイル流通路３５を形成する。これにより、適正なオイル流量となるオイル流通路３５を容易に設定できる。
【００３７】
また、本実施例では、開閉弁５は、支持筒４の内側において弁体３１よりもオイル流出口８から遠い側に設けられる受け体３３を備え、コイルバネ３２は、弁体３１と受け体３３との間に介装されている。これにより、開閉弁を簡易且つ安価な構造にできる。
【００３８】
また、本実施例では、受け体３３は、オイル流通穴３６を有するプレート状に形成されているとともに、その外周側が支持筒４の内周面に接合されている。これにより、適正なオイル流量となるオイル流通穴３６を容易に設定できるとともに、支持筒４に対して受け体３３を強固に接合できる。
【００３９】
さらに、本実施例では、開閉弁５は、コイルバネ３２の付勢力による弁体３１の移動を規制する移動規制部３４を備える。これにより、移動規制部３４により支持筒４内からの弁体３１の飛び出しが規制される。よって、開閉弁５を内蔵した支持筒４として容易に取り扱うことができる。
【００４０】
尚、本発明においては、上記実施例に限られず、目的、用途に応じて本発明の範囲内で種々変更した実施例とすることができる。すなわち、上記実施例では、移動規制部として、弁体３１の頭部３１ｃが係止して弁体３１の移動を規制する受け体３３を例示したが、これに限定されず、例えば、図５に示すように、支持筒４の軸端側に折り曲げ部４１（移動規制部）を設け、折り曲げ部４１で弁体３１の移動を規制してもよい。さらに、例えば、コイルバネ３２と弁体３１とを連結部（移動規制部）で連結して弁体３１の移動を規制してもよい。
【００４１】
また、上記実施例では、ユニオンボルト１２の先端側の切欠き部１４により連通路３９を形成するようにしたが、これに限定されず、例えば、図６に示すように、切欠き部３９に代えて又は加えて、弁体３１に形成された凹部４２により連通路３９を形成するようにしてもよい。この凹部４２は、通常、弁体３１の円周方向に沿って所定間隔で複数設けられる。
【００４２】
また、上記実施例では、付勢体として、弁体３１と受け体３３との間に介装される圧縮コイルバネ３２を例示したが、これに限定されず、例えば、弁体３１とハウジング２の底面部２ａとの間に介装される引張コイルバネとしてもよい。さらに、上記実施例では、付勢体としてコイルバネ３２を例示したが、これに限定されず、例えば、付勢体として、皿バネ、板バネ、弾性材等を採用してもよい。
【００４３】
また、上記実施例では、弁体３１の外周側と支持筒４の内周側との間にオイル流通路３５を形成するようにしたが、これに限定されず、例えば、弁体３１の外周側に貫通穴を形成し、貫通穴によりオイル流通穴を構成してもよい。
【００４４】
また、上記実施例では、オイル流通穴３６を有するプレート状の受け体３３を例示したが、これに限定されず、例えば、支持筒４の内周側に複数の突片を設け、これら各突片で受け体を構成してもよい。さらに、例えば、支持筒４の周壁を内側に凹ませてなる凹部を設け、凹部で受け体を構成してもよい。
【００４５】
さらに、上記実施例では、エンジン１１に対して上向き搭載されるオイルフィルタ１を例示したが、これに限定されず、例えば、エンジン１１に対して横向き搭載や下向き搭載されるオイルフィルタとしてもよい。
【００４６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４７】
本発明は上記で詳述した実施形態に限定されず、本発明の請求項に示した範囲で様々な変形または変更が可能である。
【産業上の利用可能性】
【００４８】
本発明は、エンジンオイルを濾過するオイルフィルタとして広く利用される。
【符号の説明】
【００４９】
１；オイルフィルタ、２；ハウジング、２ａ；底面部、３；ろ材、４；支持筒、５；開閉弁、７；オイル流入口、８；オイル流出口、９；逆止弁、１１；エンジン、１２、ユニオンボルト、１３；メスネジ、１４；切欠き部、３１；弁体、３２；コイルバネ、３３；受け体、３４；移動規制部、３５；オイル流通路、３６；オイル流通穴、３９；連通路、Ｓａ；上流空間、Ｓｂ；下流空間、Ｓｃ；ユニオンボルトの内側空間。
【図１】
2018084180.tif 000003
【図２】
2018084180.tif 000004
【図３】
2018084180.tif 000005
【図４】
2018084180.tif 000006
【図５】
2018084180.tif 000007
【図６】
2018084180.tif 000008
【図７】
2018084180.tif 000009